(57)【要約】【課題】長期に亘って集水器のゴミ詰まりを防止し、移動防止と取付けの際のガイドとなる突出部を有した施工性の良好な集水器カバー部材を提供する。【解決手段】軒樋４と堅樋５の間に設置される集水器３のゴミ詰まりを防止する集水器カバー部材Ｃであって、集水器Ｃ側の軒樋４，４端部にそれぞれ取付けられるゴミ除けネット１，１と、ゴミ除けネット１，１間の上部開放を覆うカバーネット２からなり、カバーネット２の長さ方向の側端に、軒樋４の幅方向に突出する突出部２ａを設けた構成とする。ゴミ除去の際の有効な面積が大きいので閉塞しにくく、長期間ゴミ除去作業を行わなくても、軒樋４から雨水が溢れてしまうことがない。カバーネット２の長さ方向の側端に突出部２ａが形成されているので、突出部２ａが軒樋４，４間の隙間Ｓに入り込むことで、正確な箇所に取付けることができるようになる。【選択図】図７
2010013843.tif 000002
【特許請求の範囲】
【請求項１】
軒樋と堅樋の間に設置される集水器のゴミ詰まりを防止する集水器カバー部材であって、
集水器側の軒樋端部にそれぞれ取付けられるゴミ除けネットと、
上記ゴミ除けネット間の上部開放を覆うカバーネットからなり、
上記カバーネットの長さ方向の側端に、軒樋の幅方向に突出する突出部を設けたことを特徴とする集水器カバー部材。
【請求項２】
ゴミ除けネットとカバーネットが別体で形成されていることを特徴とする請求項１に記載の集水器カバー部材。
【請求項３】
突出部が対面する位置関係に少なくとも２つ設けられたことを特徴とする請求項１又は請求項２に記載の集水器カバー部材。
【請求項４】
突出部が略台形であることを特徴とする請求項１ないし請求項３のいずれかに記載の集水器カバー部材。
【請求項５】
軒樋と堅樋の間に設置される集水器のゴミ詰まりを防止する集水器カバー部材の取付け構造であって、集水器側の軒樋と軒樋の端部に、請求項１ないし請求項４のいずれかに記載の集水器カバー部材のゴミ除けネットをそれぞれ取付けると共に、カバーネットの突出部を軒樋端部と軒樋端部の隙間に挿入してゴミ除けネット間の上部開放を覆い、集水器を集水器カバー部材で覆ったことを特徴とする集水器カバー部材の取付け構造。
【発明の詳細な説明】
【技術分野】
【０００１】
本発明は、軒樋から堅樋への経路途中に設置される集水器のゴミ詰まりを防止する集水器カバー部材とその取付け構造に関するものである。
【背景技術】
【０００２】
従来、枯れ葉やゴミ等が堅樋へ流れ込むのを防止するため、軒樋と堅樋の連結部に設置された樋集水器の落し口に、上部に網状体が設けられ、下部に筒状体が設けられたゴミ除去キャップを差し込むなどして対応してきた(特許文献１)。
【特許文献１】特開平１１−２５６５６７号公報
【発明の開示】
【発明が解決しようとする課題】
【０００３】
しかしながら、上記樋集水器は、降雨時、両隣の軒樋に堆積した枯れ葉などのゴミが落し口に差し込まれたゴミ除去キャップ１箇所に集中し、また、ゴミ除去キャップの網状体は落し口よりも僅かに大きい程度の面積しか有していないため、直ぐにドーム状のゴミ除去キャップの周面に枯れ葉などのゴミが詰まって閉塞し、頻繁にゴミ除去作業をしないと家屋の屋根に降った雨水が軒樋から堅樋へと流れず、大雨のときなど軒樋から雨水が溢れてしまう、という問題があった。
【０００４】
本発明は上記の問題に鑑みてなされたもので、その解決しようとする課題は、
軒樋から堅樋へ雨水をスムーズに流落させて、長期に亘って集水器のゴミ詰まりを防止し、且つ、移動防止と取付けの際のガイドとなる突出部を有した施工性の良好な集水器カバー部材と、その取付け構造を提供することにある。
【課題を解決するための手段】
【０００５】
上記目的を達成するため、本発明に係る集水器カバー部材は、軒樋と堅樋の間に設置される集水器のゴミ詰まりを防止する集水器カバー部材であって、集水器側の軒樋端部にそれぞれ取付けられるゴミ除けネットと、上記ゴミ除けネット間の上部開放を覆うカバーネットからなり、上記カバーネットの長さ方向の側端に、軒樋の幅方向に突出する突出部を設けたことを特徴とするものである。
【０００６】
本発明の集水器カバー部材においては、ゴミ除けネットとカバーネットが別体で形成されていることが好ましい。また、突出部が対面する位置関係に少なくとも２つ設けられたことが好ましく、突出部が略台形であるとより好ましい。
【０００７】
次に、本発明の集水器カバー部材の取付け構造は、軒樋と堅樋の間に設置される集水器のゴミ詰まりを防止する集水器カバー部材の取付け構造であって、集水器側の軒樋と軒樋の端部に、前述したいずれかの集水器カバー部材のゴミ除けネットをそれぞれ取付けると共に、カバーネットの突出部を軒樋端部と軒樋端部の隙間に挿入してゴミ除けネット間の上部開放を覆い、集水器を集水器カバー部材で覆ったことを特徴とするものである。
【発明の効果】
【０００８】
本発明の集水器カバー部材は、軒樋端部にゴミ除けネットを取付けるので、ゴミ除去の際の要となるゴミ除けネットの大きさを軒樋の有効断面積に近付けて、且つ、軒樋の底板に対して垂直に立設することができるようになる。そのようにしてゴミ除けネットを取付けると、ゴミ除去の際の有効な面積が、従来のドーム型のゴミ除去キャップよりも遥かに大きくなるので閉塞しにくくなる。しかも、例えそのゴミ除けネットが閉塞したとしても、ゴミ除けネット間の上部開放はカバーネットで覆われているので、枯れ葉などのゴミが、ゴミ除けネットを越えて集水器へ流れ込むことがなく、かなりの長期間ゴミ除去作業を行わなくても、カバーネットまでもが閉塞する心配はないので、軒樋から雨水が溢れてしまうような問題がない。この集水器カバー部材は、集水器毎に取付けられるものなので、各軒樋に堆積したゴミはそれぞれの集水器カバー部材に分散し、相当な期間メンテナンスをする必要がない。
通常、集水器カバー部材を軒樋に取付けようとすると、下方からでは軒樋内部の取付け箇所が視認できず、手探り状態での作業となってしまうので、正確な位置に取付けできているのかわからない場合が多い。軒樋と軒樋は、集水器の落し口を塞がないように端部同士を直接突き合わせず集水器と連結するので、軒樋間には隙間ができる。一方、カバーネットの長さ方向の側端には突出部が形成されているので、その突出部が軒樋間の隙間に入り込むことで、集水器カバー部材の位置を認識することができると共に、正確な箇所に取付けることができるようになる。また、軒樋の後板の内壁面上部に、カバーネットの突出部を当接しながら集水器の落し口に向かって集水器カバー部材を軒樋の長さ方向に摺動させると、軒樋間の隙間に突出部が入り込むので、突出部が取付けの際のガイドともなり、取付け作業がより容易となる。しかも、そのように集水器カバー部材を取付けると、突出部が軒樋と軒樋に挟着されるので、集水器カバー部材が軒樋の長さ方向に移動してしまうのを防止することもできる。
【０００９】
また、ゴミ除けネットとカバーネットが別体で形成されている集水器カバー部材は、一体に形成するよりも成形が容易となり、別体としたほうが、ゴミ除けネットを軒樋に取付け易くなるので、施工性も向上する。
【００１０】
更に、突出部が対面する位置関係に少なくとも２つ設けられた集水器カバー部材は、突出部を２つ設けることで、軒樋間に均等に挟着されることになり、カバーネットの移動をより確実に防止することができる。
【００１１】
また、突出部が略台形である集水器カバー部材は、突出部の形状をこのような台形にすることで、方形状の突出部と比較すると、軒樋の後板の内壁面上部にカバーネットの突出部を当接しながら軒樋の長さ方向に集水器カバー部材を摺動させ易くなるので、より施工性が向上する。
【００１２】
次に、本発明の集水器カバー部材の取付け構造は、前述したような優れた効果を奏する集水器カバー部材を用いて集水器を覆うので、長期に亘って集水器のゴミ詰まりを防止することができる。また、カバーネットの突出部を取付けの際のガイドとしながら軒樋間の隙間に挿入することで、簡単且つ正確な位置に集水器カバー部材を取付けることができ、集水器カバー部材が移動してしまうことがない。
【発明を実施するための最良の形態】
【００１３】
以下、図面を参照して本発明の具体的な実施形態を詳述する。
【００１４】
図１は本発明の一実施形態に係る集水器カバー部材を示す分解斜視図、図２は
同カバー部材の正面図、図３は同カバー部材を構成するゴミ除けネットの斜視図、図４は同カバー部材を構成するカバーネットの斜視図、図５は同カバーネットの平面図、図６は図５のＡ−Ａ断面図、図７は同カバー部材を軒樋間に取付けた状態を示す平面図、図８は同カバー部材を軒樋に取付けた状態を示す右側面図である。
【００１５】
本発明の集水器カバー部材Ｃは、図１に示すように、軒樋４と軒樋４の間に設置される集水器３の落し口３ｄにゴミが詰まるのを防止するため設置されるもので、軒樋４，４の端部に取付けられるゴミ除けネット１，１と、そのゴミ除けネット１，１の上部に取付けられて、ゴミ除けネット１，１間の上部開放を覆うカバーネット２からなる。
【００１６】
上記ゴミ除けネット１は、図３に示すように、複数の縦糸１ａと３本の横糸１ｂからなる、上下に２段の網目（開口）が形成された網体で、枯れ葉などのゴミを確実に収集できるように下段の網目が小さく形成されており、その下段の網目が詰まったとしても雨水の流路を確保できるように上段の網目が大きく形成されている。このゴミ除けネット１の縦糸１ａと縦糸１ａの間隔、及び横糸１ｂと横糸１ｂの間隔が広すぎると、枯れ葉などのゴミが雨水と共にゴミ除けネット１を通過して集水器３に流れ込んでしまうので好ましくない。また、それらの間隔が狭すぎると、ゴミ除けネット１の開口面積の減少により、雨水の流入量が減少して排水性が低下するといった不具合を生じる。そのため、上段の縦糸１ａと縦糸１ａの間隔が８〜１５ｍｍ程度、横糸１ｂと横糸の間隔１ｂが１０〜２５ｍｍ程度、下段の縦糸１ａと縦糸１ａの間隔が５〜１０ｍｍ程度、横糸１ｂと横糸の間隔１ｂが８〜２５ｍｍ程度となるように形成されている。
【００１７】
また、上記ゴミ除けネット１の高さは、ゴミ除去能力や排水性等を考慮すると、軒樋４の有効深さ、又は有効断面積の３０〜８０％程度に形成するのが好ましく、最も好ましい実施態様は軒樋４の有効深さ、又は有効断面積の４０％前後となる。従って、本実施形態の軒樋４の有効深さは１２０ｍｍなので、ゴミ除けネット１の高さは、軒樋４の有効深さ、又は有効断面積の４０％の５０ｍｍとなるように形成されている。
【００１８】
図２、図３に示すように、上記ゴミ除けネット１の底部には係止部１ｃが設けられており、上部には係止爪１ｅが形成されている。ゴミ除けネットの底部に設けられた係止部１ｃは、軒樋４の底板４ｃを差し込んで挟着する奥行きが５〜１５ｍｍ程度の略コ字形をしたもので、このように、係止部１ｃを略コ字形に形成すると、軒樋４の底板４ｃを上下から挟着することができるので、ガタつきなく確実に取付けることができる。この係止部１ｃの幅は、軒樋４底部の有効幅（軒樋４の底板４ｃと前板４ａ及び底板４ｃと後板４ｂの想像延長線がそれぞれ交接する間の幅、つまり底板４ｃと前板４ａ及び底板４ｃと後板４ｂの交接部にあるアールを除いたときの底板４ｃの幅を指す）の１／６より小さいと取付け強度が不足し、さらにゴミ除けネットを軒樋端部と平行に取付けにくくなる。また、５／６より大きいと雨水の流れを阻害することになるので、軒樋４底部の有効幅の１／６〜５／６程度に形成することが望ましい。
【００１９】
また、図２に示すように、上記係止部１ｃの軒樋４側の先端が下方へ９０°折り曲げられている。これは、軒樋４内から垂れた雨水が軒樋４外側壁と集水器３内側との間に侵入するのを防止する水切りの役目を果たすように折り曲げられたもので、このように下方へ９０°折り曲げると、水切りの役目を果たすほか、気温が低下して軒樋４が収縮した場合でも、下方に折り曲げられた部分が集水器３の内壁に当接して、軒樋４が集水器３から脱落することがなくなる。
【００２０】
ゴミ除けネット１の上部に形成された係止爪１ｅは、図３に示すように、ゴミ除けネット１の最上段の横糸１ｂの中間部分が略三角形に切り欠かれて、その切欠部より上方へ突設されたもので、上方へ突設された突起片１１ｅの先端に、略三角形の戻り防止爪１０ｅが形成されている。この係止爪１ｅは、後述するカバーネット２を取付けるために設けられたものである。
尚、この係止爪１ｅの形状は、カバーネット２と係止する形状であれば、特に本実施形態の形状に限定されるものではなく、例えば、円形であってもよい。
【００２１】
また、図３に示すように、ゴミ除けネット１最上段の横糸１ｂの左右両端には、一対のガイド部材１ｄ，１ｄが突設されている。このガイド部材１ｄは、施工現場の足場が悪いなどして軒樋４の内部が視認できないときに、該ガイド部材１ｄを持つことでゴミ除けネット１が持ち易くなり、ゴミ除けネット１の両端及び上端の位置を把握することができるので、位置決めの際に役立つと共に、平坦な面に形成されているので、後述するカバーネット２を安定して載置することができるようにもなる。
【００２２】
更に、図２、図３に示すように、ゴミ除けネット１の縦糸１ａから係止部１ｃに向って片三角形の補強リブ１ｆ，１ｆが設けられている。この補強リブ１ｆを設けると、ゴミ除けネット１を軒樋４に取付けた際、補強リブ１ｆがつっかえ棒の役割を果たすので、ゴミ除けネット１の倒れや撓みを防止し、より強固に取付けることができる。
【００２３】
以上のような構成のゴミ除けネット１を、軒樋４の端部に取付けると、図８に示すように、ゴミ除去の際の要となるゴミ除けネットの大きさが軒樋４の有効断面積に近付き、且つ、軒樋４の底板４ｃに対して垂直に立設されることになるので、ゴミ除去の際の有効な面積が、従来の樋集水器のドーム型のゴミ除去キャップと比較すると遥かに大きくなるので閉塞しにくくなる。
【００２４】
次に、上記構成のゴミ除けネット１と共に集水器カバー部材Ｃを構成するカバーネット２は、図４、図５に示すように、複数の開口が形成された長方形の網体で、図１、図２に示すように、上記ゴミ除けネット１，１の上部に取付けられて、ゴミ除けネット１，１間の上部開放（即ち、集水器３の上側）を覆って集水器３へゴミが流入するのを防止するためのものである。このカバーネット２の寸法は、集水器３や軒樋４の寸法によって変更されるが、長さが１７０ｍｍ前後、幅が１００ｍｍ前後のものであれば、市場に流通している多くの集水器や軒樋に対応することができる。また、開口が大き過ぎると枯れ葉などのゴミが集水器３に流れ込んでしまうので好ましくないが、小さ過ぎても雨水の流入量が減少して排水性が低下するといった不具合を生じる。これらを考慮して、カバーネット２の面積に対する開口の割合が５０〜８０％となるように形成されている。
【００２５】
図２、図７に示すように、軒樋４と軒樋４は、集水器３の落し口３ｄを塞がないように、端部同士を直接突き合わせず集水器３と連結するので、軒樋４と軒樋４の間には隙間Ｓができる。一方、集水器カバー部材Ｃのカバーネット２を下方からゴミ除けネット１の上部に取付けようとすると、下方からでは足場等の問題で軒樋４内部の取付け箇所が視認できず、手探り状態での作業となる場合が多いので、正確な位置にカバーネット２が取付けされているのかわからないときがある。このような事情から、次に説明する一対の突出部２ａ，２ａをカバーネット２に形成した。
【００２６】
即ち、一対の突出部２ａ，２ａは、図７に示すように、上記カバーネット２の長さ方向の二側端面の中間に、軒樋４の幅方向に突出するように形成されたものである。この一対の突出部２ａ，２ａは、図５に示すように、対面する位置関係に設けられたもので、カバーネット２側の一辺の長さＬ２より突出側の一辺の長さＬ１が短い台形をしている。突出部２ａを台形ではなく方形に形成しても突出部としての機能は果たすが、突出部２ａの形状をこのような台形とすることで、
方形状の突出部と比較すると、軒樋４の後板４ｂの内壁面上部にカバーネット２の突出部２ａを当接しながら集水器３の落し口３ｄに向かって軒樋４の長さ方向にカバーネット２を摺動させ易くなるので、簡単にカバーネット２をゴミ除けネット１に取付けることができるようになる。従って、突出部２ａは、軒樋４，４間の隙間Ｓに入るように、隙間Ｓよりも若干短く形成されている。ここで、軒樋４と軒樋４の隙間Ｓは４０〜７０ｍｍ程度であるので、突出部２ａの先端側の長さＬ１が３０〜４０ｍｍ程度、カバーネット２側の長さＬ２が４０〜６０ｍｍ程度、突出幅Ｗが１０〜２５ｍｍ程度に形成されている。
尚、突出側の一辺の長さＬ１が、カバーネット２側の長さＬ２よりも短い形状であれば、突出部は台形に限定されるものではなく、例えば、図９に示すような、一対の片三角形状の突起片からなる突出部２０ａが形成されたカバーネット２０でもよい。
【００２７】
上記のような突出部２ａを、カバーネット２の長さ方向の二側端面にそれぞれ形成すると、下方からでは軒樋４内部の取付け箇所を視認できないときでも、隙間Ｓに突出部２ａを入り込ませることで、カバーネット２を正確な位置（中心が集水器３の真上）に取付けることができるようになる。しかも、隙間Ｓに入り込ませると、突出部２ａ，２ａが軒樋４と軒樋４に挟まれて挟着されることになるので、カバーネット２が軒樋４の長さ方向に移動してしまうこともなくなる。
【００２８】
また、上記カバーネット２には、前述したゴミ除けネット１の係止爪１ｅと係止する被係止部２ｂが２つ形成されている。この被係止部２ｂは、図４、図６に示すように、カバーネット２の幅方向の中間に形成された長さ方向に長い開口の両側の内側面に、先端に向って傾斜した台形状の突片がそれぞれ設けられたもので、その突片と突片の間隔はゴミ除けネット１の係止爪１ｅの突起片１１ｅの幅よりも若干大きく、係止爪１ｅの戻り防止爪１０ｅの幅よりも若干小さい程度に形成されている。被係止部２ｂをこのような形状とすると、ゴミ除けネット１の係止爪１ｅの戻り防止爪１０ｅに、被係止部２ｂの斜面に沿わせて、カバーネット２を下方へ押し込むことで、簡単且つ確実に取付けることができると共に、カバーネット２の表裏どちらからでも係止爪１ｅと係止するので、カバーネット２の表裏を気にすることなく使用することができるようになる。
【００２９】
本実施形態のゴミ除けネット１及びカバーネット２からなる集水器カバー部材Ｃは、硬質塩化ビニル樹脂を主成分として成形されたものであるが、材質については特に限定されるものではなく、耐候性に優れるＡＳ樹脂、ＡＥＳ樹脂、ポリカーボネート樹脂を主成分として成形してもよく、また、ゴミ除けネット１にカバーネット２を取付けられるのであれば、その他の合成樹脂、特に軟質合成樹脂でもよいし、金属製であってもよい。また、合成樹脂で形成される場合、親水性を発揮する添加剤、紫外線吸収剤、酸化防止剤、耐衝撃補強剤等の公知の添加剤を含有させてもよく、これらの添加剤を表面層にのみ含有させた多層構造で形成してもよい。
尚、本実施形態の集水器カバー部材Ｃのゴミ除けネット１とカバーネット２は、成形性や施工性を考慮して別体に形成されているが、ゴミ除けネット１とカバーネット２を一体に形成するのを排除するものではない。
【００３０】
次に、以上のような構成のゴミ除けネット１とカバーネット２を用いた集水器カバー部材Ｃの取付け構造と、その施工例を説明する。
【００３１】
集水器カバー部材Ｃの取付け構造は、図１、図２、図７に示すように、軒樋４，４と堅樋５の連結部分に設置される集水器３のゴミ詰まりを防止するためのもので、集水器３側の軒樋４と軒樋４の端部に、ゴミ除けネット１，１をそれぞれ取付けて、ゴミ除けネット１，１の上部に、突出部２ａ，２ａが軒樋４端部と軒樋４端部の隙間Ｓに入り込むようにしてカバーネット２を取付けて、集水器３を集水器カバー部材Ｃで覆ったものである。
【００３２】
上記取付け構造の施工手順は、まず、集水器３と軒樋４，４を連結する。この取付け構造に用いられる集水器３は、図１、図７に示すように、軒樋４をその内側に嵌合するもので、前壁部３ａと底壁部３ｃと後壁部３ｂからなり、軒樋４を内側に嵌め込めるよう、その大きさは軒樋４よりも一回り大きく形成されている。前壁部３ａには、軒樋４の前側耳部４０ａをその内側に嵌合する２つの前嵌合部３０ａ，３０ａが形成されており、後壁部３ｂには、軒樋４の後側耳部４０ｂをその内側に嵌合する後嵌合部３０ｂが２つ形成されている。そして、底壁部３ｃには堅樋５へと続く落し口３ｄが形成されている。
尚、より確実に落し口３ｄから堅樋５にゴミが流入するのを防止するために、落し口３ｄにゴミ除去キャップを設けても構わない。
【００３３】
上記のような構成の集水器３と軒樋４は、主に軒樋４の弾性変形を利用しながら集水器３の内側に嵌め込んでいき、前壁部３ａの前嵌合部３０ａ，３０ａの内側に軒樋４の前側耳部４０ａ，４０ａを嵌合させると共に、後壁部３ｂの後嵌合部３０ｂ，３０ｂの内側に軒樋４の後側耳部４０ｂを嵌合させることで連結されている。このとき、予め軒樋４の端部にゴミ除けネット１を取付けていると、ゴミ除けネット１が補強材のような役割を果たし、軒樋４の前後方向の強度が増すので弾性変形しにくくなり、集水器３と軒樋４を連結するのが困難となる。そのため、集水器３と軒樋４を連結してから、ゴミ除けネット１を取付けるのが好ましい。また、軒樋４は、前述したように、４０〜７０ｍｍ程度の隙間Ｓを開けて設置するようにする。
【００３４】
上記のように集水器３と軒樋４の連結作業が終わると、次に、軒樋４，４の端部にゴミ除けネット１，１をそれぞれ取付ける。軒樋４とゴミ除けネット１の取付けは、ゴミ除けネット１のコ字形の係止部１ｃの内部に、軒樋４の底板４ｃを挿入することで行われる。軒樋４，４にゴミ除けネット１，１を取付けると、ゴミ除けネット１，１の上部にカバーネット２を取付ける。カバーネット２をゴミ除けネット１，１に取付けるには、軒樋４，４間の隙間Ｓに、カバーネット２の一対の突出部２ａ，２ａを挿入して軒樋長手方向の位置決めをしたのち、ゴミ除けネット１，１の係止爪１ｅ，１ｅと、カバーネット２の被係止部２ｂ，２ｂを係止させることにより行う。このようにしてゴミ除けネット１，１の上部開放（集水器３の上側）をカバーネット２で覆うことで施工が完了する。
【００３５】
以上の説明から明らかなように、本発明の集水器カバー部材Ｃとその取付け構造は、軒樋４，４の端部にゴミ除けネット１，１を取付けることで、図８に示すように、ゴミ除去の際の要となるゴミ除けネット１の大きさを、軒樋４の有効断面積に近付けて、且つ、軒樋４の底板４ｃに対して垂直に立設することができるので、ゴミ除去の際の有効な面積が、従来の樋集水器のドーム型のゴミ除去キャップと比較すると遥かに大きくなって閉塞しにくくなる。しかも、例えそのゴミ除けネット１が閉塞したとしても、ゴミ除けネット１とゴミ除けネット１の間には、その上部開放を覆うカバーネット２が取付けられているので、枯れ葉などのゴミが、ゴミ除けネット１を越えて集水器３へ流れ込むことがなく、かなりの長期間ゴミ除去作業を行わなくても、カバーネット２までもが閉塞する心配がないので、軒樋４，４から雨水が溢れてしまうような問題がない。また、カバーネット２に一対の突出部２ａ，２ａを形成したことで、突出部２ａがカバーネット２をゴミ除けネット１，１に取付ける際のガイドとなると共に、正確な位置にカバーネット２を取付けることができるようになる。しかも、突出部２ａ，２ａが軒樋４，４端部間の隙間Ｓに入り込んで、突出部２ａが軒樋４と軒樋４に挟着されるので、カバーネット２が移動してしまうこともなくなる。
【図面の簡単な説明】
【００３６】
【図１】本発明の一実施形態に係る集水器カバー部材を示す分解斜視図である。
【図２】同カバー部材の正面図である。
【図３】同カバー部材を構成するゴミ除けネットの斜視図である。
【図４】同カバー部材を構成するカバーネットの斜視図である。
【図５】同カバーネットの平面図である。
【図６】図５のＡ−Ａ断面図である。
【図７】同カバー部材を軒樋間に取付けた状態を示す平面図である。
【図８】同カバー部材を軒樋に取付けた状態を示す右側面図である。
【図９】本発明の他の実施形態に係る集水器カバー部材の構成部材であるカバーネットを示す平面図である。
【符号の説明】
【００３７】
Ｃ    集水器カバー部材
１    ゴミ除けネット
１ａ  縦糸
１ｂ  横糸
１ｃ  係止部
１ｄ  ガイド部材
１ｅ  係止爪
１０ｅ  戻り防止爪
１１ｅ  突起片
１ｆ  補強リブ
２，２０  カバーネット
２ａ，２０ａ  突出部
２ｂ  被係止部
３    集水器
３ａ  前壁部
３０ａ  前嵌合部
３ｂ  後壁部
３０ｂ  後嵌合部
３ｃ  底壁部
３ｄ  落し口
４    軒樋
４ａ  前板
４０ａ  前側耳部
４ｂ  後板
４０ｂ  後側耳部
４ｃ  底板
Ｓ    隙間
【図１】
2010013843.tif 000003
【図２】
2010013843.tif 000004
【図３】
2010013843.tif 000005
【図４】
2010013843.tif 000006
【図５】
2010013843.tif 000007
【図６】
2010013843.tif 000008
【図７】
2010013843.tif 000009
【図８】
2010013843.tif 000010
【図９】
2010013843.tif 000011
【手続補正書】
【提出日】平成20年7月4日(2008.7.4)
【手続補正１】
【補正対象書類名】明細書
【補正対象項目名】全文
【補正方法】変更
【補正の内容】
【発明の詳細な説明】
【技術分野】
【０００１】
本発明は、軒樋から堅樋への経路途中に設置される集水器のゴミ詰まりを防止する集水器カバー部材とその取付け構造に関するものである。
【背景技術】
【０００２】
従来、枯れ葉やゴミ等が堅樋へ流れ込むのを防止するため、軒樋と堅樋の連結部に設置された樋集水器の落し口に、上部に網状体が設けられ、下部に筒状体が設けられたゴミ除去キャップを差し込むなどして対応してきた(特許文献１)。
【特許文献１】特開平１１−２５６５６７号公報
【発明の開示】
【発明が解決しようとする課題】
【０００３】
しかしながら、上記樋集水器は、降雨時、両隣の軒樋に堆積した枯れ葉などのゴミが落し口に差し込まれたゴミ除去キャップ１箇所に集中し、また、ゴミ除去キャップの網状体は落し口よりも僅かに大きい程度の面積しか有していないため、直ぐにドーム状のゴミ除去キャップの周面に枯れ葉などのゴミが詰まって閉塞し、頻繁にゴミ除去作業をしないと家屋の屋根に降った雨水が軒樋から堅樋へと流れず、大雨のときなど軒樋から雨水が溢れてしまう、という問題があった。
【０００４】
本発明は上記の問題に鑑みてなされたもので、その解決しようとする課題は、
軒樋から堅樋へ雨水をスムーズに流落させて、長期に亘って集水器のゴミ詰まりを防止し、且つ、移動防止と取付けの際のガイドとなる突出部を有した施工性の良好な集水器カバー部材と、その取付け構造を提供することにある。
【課題を解決するための手段】
【０００５】
上記目的を達成するため、本発明に係る集水器カバー部材は、軒樋と堅樋の間に設置される集水器のゴミ詰まりを防止する集水器カバー部材であって、集水器側の軒樋端部にそれぞれ取付けられるゴミ除けネットと、上記ゴミ除けネット間の上部開放を覆うカバーネットからなり、上記カバーネットの長さ方向の側端に、軒樋の幅方向に突出する突出部を設けたことを特徴とするものである。
【０００６】
本発明の集水器カバー部材においては、ゴミ除けネットとカバーネットが別体で形成されていることが好ましい。また、突出部が対面する位置関係に少なくとも２つ設けられたことが好ましく、突出部が略台形であるとより好ましい。
【０００７】
次に、本発明の集水器カバー部材の取付け構造は、軒樋と堅樋の間に設置される集水器のゴミ詰まりを防止する集水器カバー部材の取付け構造であって、集水器側の軒樋と軒樋の端部に、前述したいずれかの集水器カバー部材のゴミ除けネットをそれぞれ取付けると共に、カバーネットの突出部を軒樋端部と軒樋端部の隙間に挿入してゴミ除けネット間の上部開放を覆い、集水器を集水器カバー部材で覆ったことを特徴とするものである。
【発明の効果】
【０００８】
本発明の集水器カバー部材は、軒樋端部にゴミ除けネットを取付けるので、ゴミ除去の際の要となるゴミ除けネットの大きさを軒樋の有効断面積に近付けて、且つ、軒樋の底板に対して垂直に立設することができるようになる。そのようにしてゴミ除けネットを取付けると、ゴミ除去の際の有効な面積が、従来のドーム型のゴミ除去キャップよりも遥かに大きくなるので閉塞しにくくなる。しかも、例えそのゴミ除けネットが閉塞したとしても、ゴミ除けネット間の上部開放はカバーネットで覆われているので、枯れ葉などのゴミが、ゴミ除けネットを越えて集水器へ流れ込むことがなく、かなりの長期間ゴミ除去作業を行わなくても、カバーネットまでもが閉塞する心配はないので、軒樋から雨水が溢れてしまうような問題がない。この集水器カバー部材は、集水器毎に取付けられるものなので、各軒樋に堆積したゴミはそれぞれの集水器カバー部材に分散し、相当な期間メンテナンスをする必要がない。
通常、集水器カバー部材を軒樋に取付けようとすると、下方からでは軒樋内部の取付け箇所が視認できず、手探り状態での作業となってしまうので、正確な位置に取付けできているのかわからない場合が多い。軒樋と軒樋は、集水器の落し口を塞がないように端部同士を直接突き合わせず集水器と連結するので、軒樋間には隙間ができる。一方、カバーネットの長さ方向の側端には突出部が形成されているので、その突出部が軒樋間の隙間に入り込むことで、集水器カバー部材の位置を認識することができると共に、正確な箇所に取付けることができるようになる。また、軒樋の後板の内壁面上部に、カバーネットの突出部を当接しながら集水器の落し口に向かって集水器カバー部材を軒樋の長さ方向に摺動させると、軒樋間の隙間に突出部が入り込むので、突出部が取付けの際のガイドともなり、取付け作業がより容易となる。しかも、そのように集水器カバー部材を取付けると、突出部が軒樋と軒樋に挟着されるので、集水器カバー部材が軒樋の長さ方向に移動してしまうのを防止することもできる。
【０００９】
また、ゴミ除けネットとカバーネットが別体で形成されている集水器カバー部材は、一体に形成するよりも成形が容易となり、別体としたほうが、ゴミ除けネットを軒樋に取付け易くなるので、施工性も向上する。
【００１０】
更に、突出部が対面する位置関係に少なくとも２つ設けられた集水器カバー部材は、突出部を２つ設けることで、軒樋間に均等に挟着されることになり、カバーネットの移動をより確実に防止することができる。
【００１１】
また、突出部が略台形である集水器カバー部材は、突出部の形状をこのような台形にすることで、方形状の突出部と比較すると、軒樋の後板の内壁面上部にカバーネットの突出部を当接しながら軒樋の長さ方向に集水器カバー部材を摺動させ易くなるので、より施工性が向上する。
【００１２】
次に、本発明の集水器カバー部材の取付け構造は、前述したような優れた効果を奏する集水器カバー部材を用いて集水器を覆うので、長期に亘って集水器のゴミ詰まりを防止することができる。また、カバーネットの突出部を取付けの際のガイドとしながら軒樋間の隙間に挿入することで、簡単且つ正確な位置に集水器カバー部材を取付けることができ、集水器カバー部材が移動してしまうことがない。
【発明を実施するための最良の形態】
【００１３】
以下、図面を参照して本発明の具体的な実施形態を詳述する。
【００１４】
図１は本発明の一実施形態に係る集水器カバー部材を示す分解斜視図、図２は
同カバー部材の正面図、図３は同カバー部材を構成するゴミ除けネットの斜視図、図４は同カバー部材を構成するカバーネットの斜視図、図５は同カバーネットの平面図、図６は図５のＡ−Ａ断面図、図７は同カバー部材を軒樋間に取付けた状態を示す平面図、図８は同カバー部材を軒樋に取付けた状態を示す右側面図である。
【００１５】
本発明の集水器カバー部材Ｃは、図１に示すように、軒樋４と軒樋４の間に設置される集水器３の落し口３ｄにゴミが詰まるのを防止するため設置されるもので、軒樋４，４の端部に取付けられるゴミ除けネット１，１と、そのゴミ除けネット１，１の上部に取付けられて、ゴミ除けネット１，１間の上部開放を覆うカバーネット２からなる。
【００１６】
上記ゴミ除けネット１は、図３に示すように、複数の縦糸１ａと３本の横糸１ｂからなる、上下に２段の網目（開口）が形成された網体で、枯れ葉などのゴミを確実に収集できるように下段の網目が小さく形成されており、その下段の網目が詰まったとしても雨水の流路を確保できるように上段の網目が大きく形成されている。このゴミ除けネット１の縦糸１ａと縦糸１ａの間隔、及び横糸１ｂと横糸１ｂの間隔が広すぎると、枯れ葉などのゴミが雨水と共にゴミ除けネット１を通過して集水器３に流れ込んでしまうので好ましくない。また、それらの間隔が狭すぎると、ゴミ除けネット１の開口面積の減少により、雨水の流入量が減少して排水性が低下するといった不具合を生じる。そのため、上段の縦糸１ａと縦糸１ａの間隔が８〜１５ｍｍ程度、横糸１ｂと横糸の間隔１ｂが１０〜２５ｍｍ程度、下段の縦糸１ａと縦糸１ａの間隔が５〜１０ｍｍ程度、横糸１ｂと横糸の間隔１ｂが８〜２５ｍｍ程度となるように形成されている。
【００１７】
また、上記ゴミ除けネット１の高さは、ゴミ除去能力や排水性等を考慮すると、軒樋４の有効深さ、又は有効断面積の３０〜８０％程度に形成するのが好ましく、最も好ましい実施態様は軒樋４の有効深さ、又は有効断面積の４０％前後となる。従って、本実施形態の軒樋４の有効深さは１２０ｍｍなので、ゴミ除けネット１の高さは、軒樋４の有効深さ、又は有効断面積の４０％の５０ｍｍとなるように形成されている。
【００１８】
図２、図３に示すように、上記ゴミ除けネット１の底部には係止部１ｃが設けられており、上部には係止爪１ｅが形成されている。ゴミ除けネットの底部に設けられた係止部１ｃは、軒樋４の底板４ｃを差し込んで挟着する奥行きが５〜１５ｍｍ程度の略コ字形をしたもので、このように、係止部１ｃを略コ字形に形成すると、軒樋４の底板４ｃを上下から挟着することができるので、ガタつきなく確実に取付けることができる。この係止部１ｃの幅は、軒樋４底部の有効幅（軒樋４の底板４ｃと前板４ａ及び底板４ｃと後板４ｂの想像延長線がそれぞれ交接する間の幅、つまり底板４ｃと前板４ａ及び底板４ｃと後板４ｂの交接部にあるアールを除いたときの底板４ｃの幅を指す）の１／６より小さいと取付け強度が不足し、さらにゴミ除けネットを軒樋端部と平行に取付けにくくなる。また、５／６より大きいと雨水の流れを阻害することになるので、軒樋４底部の有効幅の１／６〜５／６程度に形成することが望ましい。
【００１９】
また、図２に示すように、上記係止部１ｃの軒樋４側の先端が下方へ９０°折り曲げられている。これは、軒樋４内から垂れた雨水が軒樋４外側壁と集水器３内側との間に侵入するのを防止する水切りの役目を果たすように折り曲げられたもので、このように下方へ９０°折り曲げると、水切りの役目を果たすほか、気温が低下して軒樋４が収縮した場合でも、下方に折り曲げられた部分が集水器３の内壁に当接して、軒樋４が集水器３から脱落することがなくなる。
【００２０】
ゴミ除けネット１の上部に形成された係止爪１ｅは、図３に示すように、ゴミ除けネット１の最上段の横糸１ｂの中間部分が略三角形に切り欠かれて、その切欠部より上方へ突設されたもので、上方へ突設された突起片１１ｅの先端に、略三角形の戻り防止爪１０ｅが形成されている。この係止爪１ｅは、後述するカバーネット２を取付けるために設けられたものである。
尚、この係止爪１ｅの形状は、カバーネット２と係止する形状であれば、特に本実施形態の形状に限定されるものではなく、例えば、円形であってもよい。
【００２１】
また、図３に示すように、ゴミ除けネット１最上段の横糸１ｂの左右両端には、一対のガイド部材１ｄ，１ｄが突設されている。このガイド部材１ｄは、施工現場の足場が悪いなどして軒樋４の内部が視認できないときに、該ガイド部材１ｄを持つことでゴミ除けネット１が持ち易くなり、ゴミ除けネット１の両端及び上端の位置を把握することができるので、位置決めの際に役立つと共に、平坦な面に形成されているので、後述するカバーネット２を安定して載置することができるようにもなる。
【００２２】
更に、図２、図３に示すように、ゴミ除けネット１の縦糸１ａから係止部１ｃに向って片三角形の補強リブ１ｆ，１ｆが設けられている。この補強リブ１ｆを設けると、ゴミ除けネット１を軒樋４に取付けた際、補強リブ１ｆがつっかえ棒の役割を果たすので、ゴミ除けネット１の倒れや撓みを防止し、より強固に取付けることができる。
【００２３】
以上のような構成のゴミ除けネット１を、軒樋４の端部に取付けると、図８に示すように、ゴミ除去の際の要となるゴミ除けネットの大きさが軒樋４の有効断面積に近付き、且つ、軒樋４の底板４ｃに対して垂直に立設されることになるので、ゴミ除去の際の有効な面積が、従来の樋集水器のドーム型のゴミ除去キャップと比較すると遥かに大きくなるので閉塞しにくくなる。
【００２４】
次に、上記構成のゴミ除けネット１と共に集水器カバー部材Ｃを構成するカバーネット２は、図４、図５に示すように、複数の開口が形成された長方形の網体で、図１、図２に示すように、上記ゴミ除けネット１，１の上部に取付けられて、ゴミ除けネット１，１間の上部開放（即ち、集水器３の上側）を覆って集水器３へゴミが流入するのを防止するためのものである。このカバーネット２の寸法は、集水器３や軒樋４の寸法によって変更されるが、長さが１７０ｍｍ前後、幅が１００ｍｍ前後のものであれば、市場に流通している多くの集水器や軒樋に対応することができる。また、開口が大き過ぎると枯れ葉などのゴミが集水器３に流れ込んでしまうので好ましくないが、小さ過ぎても雨水の流入量が減少して排水性が低下するといった不具合を生じる。これらを考慮して、カバーネット２の面積に対する開口の割合が５０〜８０％となるように形成されている。
【００２５】
図２、図７に示すように、軒樋４と軒樋４は、集水器３の落し口３ｄを塞がないように、端部同士を直接突き合わせず集水器３と連結するので、軒樋４と軒樋４の間には隙間Ｓができる。一方、集水器カバー部材Ｃのカバーネット２を下方からゴミ除けネット１の上部に取付けようとすると、下方からでは足場等の問題で軒樋４内部の取付け箇所が視認できず、手探り状態での作業となる場合が多いので、正確な位置にカバーネット２が取付けされているのかわからないときがある。このような事情から、次に説明する一対の突出部２ａ，２ａをカバーネット２に形成した。
【００２６】
即ち、一対の突出部２ａ，２ａは、図７に示すように、上記カバーネット２の長さ方向の二側端面の中間に、軒樋４の幅方向に突出するように形成されたものである。この一対の突出部２ａ，２ａは、図５に示すように、対面する位置関係に設けられたもので、カバーネット２側の一辺の長さＬ２より突出側の一辺の長さＬ１が短い台形をしている。突出部２ａを台形ではなく方形に形成しても突出部としての機能は果たすが、突出部２ａの形状をこのような台形とすることで、
方形状の突出部と比較すると、軒樋４の後板４ｂの内壁面上部にカバーネット２の突出部２ａを当接しながら集水器３の落し口３ｄに向かって軒樋４の長さ方向にカバーネット２を摺動させ易くなるので、簡単にカバーネット２をゴミ除けネット１に取付けることができるようになる。従って、突出部２ａは、軒樋４，４間の隙間Ｓに入るように、隙間Ｓよりも若干短く形成されている。ここで、軒樋４と軒樋４の隙間Ｓは４０〜７０ｍｍ程度であるので、突出部２ａの先端側の長さＬ１が３０〜４０ｍｍ程度、カバーネット２側の長さＬ２が４０〜６０ｍｍ程度、突出幅Ｗが１０〜２５ｍｍ程度に形成されている。
尚、突出側の一辺の長さＬ１が、カバーネット２側の長さＬ２よりも短い形状であれば、突出部は台形に限定されるものではなく、例えば、図９に示すような、一対の片三角形状の突起片からなる突出部２０ａが形成されたカバーネット２０でもよい。
【００２７】
上記のような突出部２ａを、カバーネット２の長さ方向の二側端面にそれぞれ形成すると、下方からでは軒樋４内部の取付け箇所を視認できないときでも、隙間Ｓに突出部２ａを入り込ませることで、カバーネット２を正確な位置（中心が集水器３の真上）に取付けることができるようになる。しかも、隙間Ｓに入り込ませると、突出部２ａ，２ａが軒樋４と軒樋４に挟まれて挟着されることになるので、カバーネット２が軒樋４の長さ方向に移動してしまうこともなくなる。
【００２８】
また、上記カバーネット２には、前述したゴミ除けネット１の係止爪１ｅと係止する被係止部２ｂが２つ形成されている。この被係止部２ｂは、図４、図６に示すように、カバーネット２の幅方向の中間に形成された長さ方向に長い開口の両側の内側面に、先端に向って傾斜した台形状の突片がそれぞれ設けられたもので、その突片と突片の間隔はゴミ除けネット１の係止爪１ｅの突起片１１ｅの幅よりも若干大きく、係止爪１ｅの戻り防止爪１０ｅの幅よりも若干小さい程度に形成されている。被係止部２ｂをこのような形状とすると、ゴミ除けネット１の係止爪１ｅの戻り防止爪１０ｅに、被係止部２ｂの斜面に沿わせて、カバーネット２を下方へ押し込むことで、簡単且つ確実に取付けることができると共に、カバーネット２の表裏どちらからでも係止爪１ｅと係止するので、カバーネット２の表裏を気にすることなく使用することができるようになる。
【００２９】
本実施形態のゴミ除けネット１及びカバーネット２からなる集水器カバー部材Ｃは、硬質塩化ビニル樹脂を主成分として成形されたものであるが、材質については特に限定されるものではなく、耐候性に優れるＡＳ樹脂、ＡＥＳ樹脂、ポリカーボネート樹脂を主成分として成形してもよく、また、ゴミ除けネット１にカバーネット２を取付けられるのであれば、その他の合成樹脂、特に軟質合成樹脂でもよいし、金属製であってもよい。また、合成樹脂で形成される場合、親水性を発揮する添加剤、紫外線吸収剤、酸化防止剤、耐衝撃補強剤等の公知の添加剤を含有させてもよく、これらの添加剤を表面層にのみ含有させた多層構造で形成してもよい。
尚、本実施形態の集水器カバー部材Ｃのゴミ除けネット１とカバーネット２は、成形性や施工性を考慮して別体に形成されているが、ゴミ除けネット１とカバーネット２を一体に形成するのを排除するものではない。
【００３０】
次に、以上のような構成のゴミ除けネット１とカバーネット２を用いた集水器カバー部材Ｃの取付け構造と、その施工例を説明する。
【００３１】
集水器カバー部材Ｃの取付け構造は、図１、図２、図７に示すように、軒樋４，４と堅樋５の連結部分に設置される集水器３のゴミ詰まりを防止するためのもので、集水器３側の軒樋４と軒樋４の端部に、ゴミ除けネット１，１をそれぞれ取付けて、ゴミ除けネット１，１の上部に、突出部２ａ，２ａが軒樋４端部と軒樋４端部の隙間Ｓに入り込むようにしてカバーネット２を取付けて、集水器３を集水器カバー部材Ｃで覆ったものである。
【００３２】
上記取付け構造の施工手順は、まず、集水器３と軒樋４，４を連結する。この取付け構造に用いられる集水器３は、図１、図７に示すように、軒樋４をその内側に嵌合するもので、前壁部３ａと底壁部３ｃと後壁部３ｂからなり、軒樋４を内側に嵌め込めるよう、その大きさは軒樋４よりも一回り大きく形成されている。前壁部３ａには、軒樋４の前側耳部４０ａをその内側に嵌合する２つの前嵌合部３０ａ，３０ａが形成されており、後壁部３ｂには、軒樋４の後側耳部４０ｂをその内側に嵌合する後嵌合部３０ｂが２つ形成されている。そして、底壁部３ｃには堅樋５へと続く落し口３ｄが形成されている。
尚、より確実に落し口３ｄから堅樋５にゴミが流入するのを防止するために、落し口３ｄにゴミ除去キャップを設けても構わない。
【００３３】
上記のような構成の集水器３と軒樋４は、主に軒樋４の弾性変形を利用しながら集水器３の内側に嵌め込んでいき、前壁部３ａの前嵌合部３０ａ，３０ａの内側に軒樋４の前側耳部４０ａ，４０ａを嵌合させると共に、後壁部３ｂの後嵌合部３０ｂ，３０ｂの内側に軒樋４の後側耳部４０ｂを嵌合させることで連結されている。このとき、予め軒樋４の端部にゴミ除けネット１を取付けていると、ゴミ除けネット１が補強材のような役割を果たし、軒樋４の前後方向の強度が増すので弾性変形しにくくなり、集水器３と軒樋４を連結するのが困難となる。そのため、集水器３と軒樋４を連結してから、ゴミ除けネット１を取付けるのが好ましい。また、軒樋４は、前述したように、４０〜７０ｍｍ程度の隙間Ｓを開けて設置するようにする。
【００３４】
上記のように集水器３と軒樋４の連結作業が終わると、次に、軒樋４，４の端部にゴミ除けネット１，１をそれぞれ取付ける。軒樋４とゴミ除けネット１の取付けは、ゴミ除けネット１のコ字形の係止部１ｃの内部に、軒樋４の底板４ｃを挿入することで行われる。軒樋４，４にゴミ除けネット１，１を取付けると、ゴミ除けネット１，１の上部にカバーネット２を取付ける。カバーネット２をゴミ除けネット１，１に取付けるには、軒樋４，４間の隙間Ｓに、カバーネット２の一対の突出部２ａ，２ａを挿入して軒樋長手方向の位置決めをしたのち、ゴミ除けネット１，１の係止爪１ｅ，１ｅと、カバーネット２の被係止部２ｂ，２ｂを係止させることにより行う。このようにしてゴミ除けネット１，１の上部開放（集水器３の上側）をカバーネット２で覆うことで施工が完了する。
【００３５】
以上の説明から明らかなように、本発明の集水器カバー部材Ｃとその取付け構造は、軒樋４，４の端部にゴミ除けネット１，１を取付けることで、図８に示すように、ゴミ除去の際の要となるゴミ除けネット１の大きさを、軒樋４の有効断面積に近付けて、且つ、軒樋４の底板４ｃに対して垂直に立設することができるので、ゴミ除去の際の有効な面積が、従来の樋集水器のドーム型のゴミ除去キャップと比較すると遥かに大きくなって閉塞しにくくなる。しかも、例えそのゴミ除けネット１が閉塞したとしても、ゴミ除けネット１とゴミ除けネット１の間には、その上部開放を覆うカバーネット２が取付けられているので、枯れ葉などのゴミが、ゴミ除けネット１を越えて集水器３へ流れ込むことがなく、かなりの長期間ゴミ除去作業を行わなくても、カバーネット２までもが閉塞する心配がないので、軒樋４，４から雨水が溢れてしまうような問題がない。また、カバーネット２に一対の突出部２ａ，２ａを形成したことで、突出部２ａがカバーネット２をゴミ除けネット１，１に取付ける際のガイドとなると共に、正確な位置にカバーネット２を取付けることができるようになる。しかも、突出部２ａ，２ａが軒樋４，４端部間の隙間Ｓに入り込んで、突出部２ａが軒樋４と軒樋４に挟着されるので、カバーネット２が移動してしまうこともなくなる。
【図面の簡単な説明】
【００３６】
【図１】本発明の一実施形態に係る集水器カバー部材を示す分解斜視図である。
【図２】同カバー部材の正面図である。
【図３】同カバー部材を構成するゴミ除けネットの斜視図である。
【図４】同カバー部材を構成するカバーネットの斜視図である。
【図５】同カバーネットの平面図である。
【図６】図５のＡ−Ａ断面図である。
【図７】同カバー部材を軒樋間に取付けた状態を示す平面図である。
【図８】同カバー部材を軒樋に取付けた状態を示す右側面図である。
【図９】本発明の他の実施形態に係る集水器カバー部材の構成部材であるカバーネットを示す平面図である。
【符号の説明】
【００３７】
Ｃ    集水器カバー部材
１    ゴミ除けネット
１ａ  縦糸
１ｂ  横糸
１ｃ  係止部
１ｄ  ガイド部材
１ｅ  係止爪
１０ｅ  戻り防止爪
１１ｅ  突起片
１ｆ  補強リブ
２，２０  カバーネット
２ａ，２０ａ  突出部
２ｂ  被係止部
３    集水器
３ａ  前壁部
３０ａ  前嵌合部
３ｂ  後壁部
３０ｂ  後嵌合部
３ｃ  底壁部
３ｄ  落し口
４    軒樋
４ａ  前板
４０ａ  前側耳部
４ｂ  後板
４０ｂ  後側耳部
４ｃ  底板
Ｓ    隙間